(57)【特許請求の範囲】
【請求項１】
中空部を有する棒状のドアスコープ筐体の一端に固体撮像素子を取り付け、固体撮像素子に接続されたモニター部への配線を前記中空部に通すドアスコープ筐体において、前記ドアスコープ筐体を、長手方向両端部を残し円筒部及び前記中空部の中心軸に平行な平面にて切断して分割したことを特徴とするドアスコープ筐体。
【請求項２】
ドアスコープ筐体が難燃性樹脂であることを特徴とする請求項１記載のドアスコープ筐体。
【発明の詳細な説明】
【０００１】
【発明の属する技術分野】
本発明は撮像部に固体撮像素子を使用したドアスコープの筐体に関するものである。
【０００２】
【従来の技術】
来客等で来客者を確認するために覗き窓を付けたドアがある。光学的に確認できる覗き窓（以下光学ドアスコープという）は確認範囲が小さく、また小さくて見にくいものである。光学ドアスコープの欠点を解消するものとして、ドアの外側に臨んで撮像部を設け、ドアの内側に設けたモニターで来客者を確認するカメラ付きモニターが普及してきている。
【０００３】
新築の場合やドア全体を交換する場合は、ドア用に設計されたカメラ付きモニターを取付けることが可能であるが、その分費用が掛かるので、簡便な方法として光学ドアスコープと互換性のあるカメラ部を作成して取付けることが考えられる。実開平６−５２９９７号公報や特開平８−２１８７４９号公報には前記内容が、光学ドアスコープ用の穴に取付けられるモニターカメラとして開示されている。
【０００４】
図１はドアに組み込まれた光学ドアスコープの部分断面図である。ドア１に穿設された穴１ａにはレンズ収納筐体２と固定筐体３で構成された光学ドアスコープが組み込まれている。レンズ収納筐体２の一端にはレンズ２ｂが収納され、他端は雄ネジ２ａになっている。固定筐体３は一端が雌ネジ（不図示）になっており、他端は鍔部３ａが形成されている。レンズ収納筐体２の鍔部２ｃと固定筐体３の鍔部３ａでドア１を挟んで光学ドアスコープが固定されている。固定はネジによる螺合である。
【０００５】
図２は前記公報に開示されているカメラを収納したドアスコープをドアに取付けた部分断面図である。光学ドアスコープを外した穴１ａにカメラ収納部４ａ、円筒部４ｂ、ネジ部４ｃで構成されたドアスコープ４（以下電子ドアスコープという）を挿入して、ドア１の内側に取付けたモニター装置７の内壁７ａにナット６で固定されている。カメラ収納部４ａに収納された小型カメラである固体撮像素子５により取り込まれた映像は表示装置８で表示される。
【０００６】
図３は図２に類似した光学ドアスコープの分解斜視図であり、図４はカメラ収納部４ａ以外を断面にした部分側面断面図である。カメラ収納部４ａには接続部４ｄが固定されている。図４で判るように円筒部４ｂとネジ部４ｃは一体であり、内径は径小部と径大部４ｅの段付き穴になっている。カメラである撮像部は撮像素子５、回路基板５ａ、コネクター５ｂ、フレキシブル回路基板５ｃ、コネクター５ｄで構成されており、コネクター５ｄはモニター用回路基板に接続される。
【０００７】
撮像部は円筒部４ｂの段付き穴の段部４ｆに回路基板５ａが当たるように図４の左側からコネクター５ｄを先にして組み込み、次にスぺーサー９を組み込み、最後にカメラ収納部４ａに固定された接続部４ｄをスぺーサー９を押さえる形で挿入し、撮像素子５（回路基板５ａ）が動かないように固定する。
【０００８】
完成した電子ドアスコープをドアに挿入しナット６で固定し、コネクター５ｄをモニター用回路基板に接続すれば電子ドアスコープが完成する。
【０００９】
【発明が解決しようとする課題】
撮像部は円筒部４ｂの段付き穴の段部４ｆに回路基板５ａが当たるように図４の左側からコネクター５ｄを先にして組み込み、次にスぺーサー９を組み込み、最後にカメラ収納部４ａに固定された接続部４ｄをスぺーサー９を抑える形で挿入し、撮像素子５（回路基板５ａ）が動かないように固定するが、ドアスコープの大きさは外径が１２ｍｍ以内であり、この中に撮像部を組み込むことは非常に作業性が悪く、作業効率の悪いものであった。撮像部を収納する段付き部が見えないことや、作業するにあたり指が入れられない等の作業環境の悪さによるものである。
【００１０】
ドアスコープは防火の問題から金属製であるが、ドアに付けることによる結露による腐食の問題や、微細加工には適せず特にネジ部のあるものは加工費が高くなりがちであった。
【００１１】
中空部を有する棒状のドアスコープ筐体の一端に固体撮像素子を取り付け、固体撮像素子に接続されたモニター部への配線を前記中空部に通すドアスコープ筐体において、ドアスコープ筐体を、長手方向両端部を残し円筒部及び前記中空部の中心軸に平行な平面にて切断して分割する。ドアスコープ筐体は難燃性の樹脂を用いる。
【００１２】
図５は本発明に係わる電子ドアスコープの分解斜視図であり、図６はカメラ収納部以外を断面にした図５のＡ−Ａ断面図である。ドアスコープ筐体１０はネジ部１０ａ、円筒部１０ｂ、分割部１０ｃで構成されて、分割部１０ｃは長手方向両端部を残し円筒部１０ｂ及び前記中空部の中心軸（一点鎖線）に平行な平面にて切断されており、図５のように分割することができる。ドアスコープ筐体１０には分割部１０ｃを固定するネジ１７に係合する雌ネジ部を有する固定ネジ部１１、１２が形成されている。分割部１０ｃには分割部１０ｃを固定するネジ１７を挿入する穴の形成された凹部１１ａ、１２ａが形成されている。ドアスコープ筐体１０には撮像素子用回路基板５ａの外周を挿入することで位置決め固定する溝部を構成する突起部１３、１４、１５、１６が形成されている。分割部１０ｃの内面にも同様に形成されている。ナット６を記載してあるが、分割部１０ｃを外すときはナット６は外してあるのが本来である。
【００１３】
分割部１０ｃを取り外した部分からコネクター５ｄを右方向に挿入し、撮像素子用回路基板５ａの外周を突起部１３、１４で形成される溝部と突起部１５、１６で形成される溝部に図５の矢印Ｂ方向に挿入する。回路基板５ａは突起部１３、１４、１５、１６により横方向の動きも規制される。分割部１０ｃの溝部を回路基板５ａの外周に合わせて２本のネジ１７により固定することで撮像部の組み込みが終了する。図７は電子ドアスコープの完成斜視図である。本発明はドアスコープ筐体で説明したが、撮像部を組み込むのが困難な小さい固体撮像素子を有する撮像部の筐体に応用できることは言うまでもない。
【００１４】
本実施形態のドアスコープ筐体では、レンズ収納部４ａ、接続部４ｄの組み込みは撮像部の組み込みには左右されないので、撮像部の組み込みには無関係に組み込むことができる。
【００１５】
ドアスコープ筐体は従来技術のように金属製でもよいが、構造が複雑になるので難燃性の樹脂を成形加工するのが好ましい。ドアスコープ筐体１０の円筒部１０ｂ及びネジ部１０ａの引き出し部に円筒部を残して分割しているのはドアスコープ筐体１０の強度を確保するためであり、強度が確保できれば完全に半分に分割しても差し支えない。
【００１６】
【発明の効果】
本発明によれば、従来技術と異なり、撮像部を指で持ちながら組み込みすることができる。また、撮像部の組み込み部を目で確認しながら作業できるのでドアスコープ筐体に撮像部を容易に且つ確実に組み込むことができる。
【００１７】
ドアスコープ筐体を難燃性樹脂で成形加工するので、本発明の実施形態のようにネジ部を有する部分を分割する複雑な構造でも微細加工ができ、一様な製品を製造することができる。また、ドアスコープ筐体を樹脂にすることにより、ドアに取付けても結露しにくく、結露しても腐食されにくくなった。
【図面の簡単な説明】
【図１】光学ドアスコープの部分断面図
【図２】カメラを収納したドアスコープをドアに取付けた部分断面図
【図３】光学ドアスコープの分解斜視図
【図４】カメラ収納部以外を断面にした部分側面断面図
【図５】本発明に係わる電子ドアスコープの分解斜視図
【図６】カメラ収納部以外を断面にした図５のＡ−Ａ断面図
【図７】電子ドアスコープの完成斜視図である。
【符号の説明】
１        ドア
１ａ    穴
２        レンズ収納筐体
２ａ    雄ネジ
２ｂ    レンズ
２ｃ    鍔部
３        固定筐体
３ａ    鍔部
４        電子ドアスコープ
４ａ    カメラ収納部
４ｂ    円筒部
４ｃ    ネジ部
４ｄ    接続部
４ｅ    径大部
４ｆ    段付き穴の段部
５        撮像素子
５ａ    回路基板
５ｂ    コネクター
５ｃ    フレキシブル回路基板
５ｄ    コネクター
６        ナット
７        モニター装置
７ａ    内壁
８        表示装置
９        スぺーサー
１０        ドアスコープ筐体
１０ａ    ネジ部
１０ｂ    円筒部
１０ｃ    分割部
１１        固定ネジ部
１１ａ    凹部
１２        固定ネジ部
１２ａ    凹部
１３        突起部
１４        突起部
１５        突起部
１６        突起部
１７        ネジ
【図１】
0003549146.tif 000002
【図２】
0003549146.tif 000003
【図３】
0003549146.tif 000004
【図４】
0003549146.tif 000005
【図５】
0003549146.tif 000006
【図６】
0003549146.tif 000007
【図７】
0003549146.tif 000008